(57)【要約】【課題】  従来のトイレは、プライバシーの問題と匂いの問題から、便所という個室に設置するのが一般的であったため、足腰が弱ってくると寝室からトイレまで、自力で歩いていくことが困難になり、介助者に重い負担がかかっていた。 【解決手段】    まったく匂いのない水洗トイレを寝室に設置し、ベッドから便座に移行しやすいようにアシスト機構を付帯させ、なるべく自力でトイレを行うことができるようにし、又は介助が必要になったとしても介助者のアシストを最小にする。【選択図】図１
2020099457.tif 000002
【特許請求の範囲】
【請求項１】
匂いのしない水洗トイレの便座を寝室のマットレスのすぐ隣に設置し、またマットレスの頭上側に上半身移動アシスト機構を設定し、該マットレスから該便座へ、該便座から該マットレスへの身体の移動のアシストを行うことができる寝室用水洗トイレ。
【発明の詳細な説明】
【技術分野】
【０００１】
本発明は匂いのしない水洗トイレを寝室に設置して、足腰が弱ってきても、なるべく自力で生活できるようにする技術に関するものである。
【背景技術】
【０００２】
従来のトイレは、プライバシーの問題と匂いの問題から、便所という個室に設置するのが一般的であったため、足腰が弱ってくると寝室からトイレまで、自力で歩いていくことが困難になり、介助者に重い負担がかかるようになるか、トイレに行くのをあきらめ、おまるのような形でするか、あるいは簡易トイレをベッドの脇に置くか、さもなければおむつ交換をするかのいずれかになってしまい、介助者も非介助者の双方で、匂いやプライバシーの問題があり、物理的・精神的な負担が大きかった。
そのため、介護は身内に頼るか、あるいはプロの介護士等に頼るしか選択肢がなかった。
【先行技術文献】
【特許文献】
【０００３】
【特許文献１】特開２００２−１３６５５２
【発明の概要】
【発明が解決しようとする課題】
【０００４】
おまるや簡易トイレの設定やおむつ交換では、介助者と非介助者の双方で、匂いやプライバシーの問題があり、物理的・精神的な負担が大きい。
そのため、介護は身内に頼るか、あるいはプロの介護士等に頼るしか選択肢がなかった。
【課題を解決するための手段】
【０００５】
ベッドの脇に匂いのしない水洗トイレの便座を設定し、またベッドに寝た状態での頭上側に、移動アシスト機構を設定し、移動アシスト機構のバー又はバーに取り付けられた紐に手でつかまると、ロープウエイの感覚で、上体側をトイレ位置まで運んでくれるようにすることで、足が全く動かなくても、腕の力と腰の関節を使い、ベッドから便座へ、便座からベッドへの移行をなるべく自力で行えるようにする。
【発明の効果】
【０００６】
本発明により、足がまったく動かなくなっても、腰の関節と腕の力でトイレの便座に座ることが可能になり、またその逆に便座からベッドへの移行が一人で可能になり、介助者がトイレまで連れて行く必要がなくなり、またおむつ交換やおまる、あるいは簡易トイレ等での汚物の二次処理が不要になり、介護の負担が大幅に削減される他、プライバシーの問題が解消され、誰でも介護が可能になる。
【図面の簡単な説明】
【０００７】
【図１】本発明の概要を示す。
【発明を実施するための形態】
【０００８】
便座の下側のウオシュレット（商標登録）よりは上側に吸引口を設定し、ダクトで便座からトイレの水タンクの内部につなぎ、ファンで臭気を伴うエアーを吸引し、該ダクトを通して、該水タンクの水の中に臭気を伴うエアーを通して、臭気の大半を除去してから、該水タンクの上部にある防臭フィルターにエアーを通して、残りの臭気を吸収する。
また、ウオシュレット（商標登録）でのお尻洗浄後の乾燥のための温風を消臭・芳香剤を通して送ることで、まれに残存する場合がある汚物の消臭も行う。
上記の内容で、匂いのしないトイレを実現し、便座をベッドの脇に設定し、またベッドの頭上側に移動アシスト機構を設定し、該移動アシスト機構のバー又はバーに取り付けられた紐に手でつかまると、ロープウエイの感覚で、上体側を便座まで運んでくれるようにすることで、足が全く動かなくても、腕の力と腰の関節を使い、ベッドから便座へ、便座からベッドへの移行を行えるようにする。
【０００９】
図1において、マットレス1で寝ている状態から、AIスピーカー兼監視カメラ7に呼びかけ、「つりさげ棒4を下げて頂戴」というと、該つりさげ棒4が手の届く範囲にまで下りてきて、該つりさげ棒4をつかむか、あるいはつりさげ紐5をつかむことが可能になり、どちらかをつかんだうえで、該AIスピーカー兼監視カメラ7に呼びかけ、「トイレに移動して頂戴」というと、上半身移動アシストタワー3が作動し、該つりさげ棒4を上側に持ち上げ（回転動作）ながら便座2側に移動し、足側は該マットレス1に残ったままで、身体の上体側は、背もたれ6及び該便座2の位置まで到達する。その後、該つりさげ棒4につかまりながら、腰を動かして、尻の中心部を該便座2にあてると同時に、足をベッドからおろして、該便座2に腰掛けるようにする。次に下半身の衣類を膝まで下げて排泄をおこなう。この一連の作業において、うまく身体の動作ができないようであれば、介助者が適切なアシストを行う。
排泄が終了し、ウオシュレット（商標登録）で洗浄し、温風で乾かした後には、上記の一連の動作と逆のプロセス動作を実施し、該マットレス1に戻ることが可能となる。
尚、腕の力がなくなって、自力で上半身を持ち上げることが出来なくなった人には、該つりさげ棒4を改造し、上半身つりさげ用のベルトを用意し、介助者がベルトの着脱を行い、上半身を移動できるようにする。
また、該便座2は椅子として使用することも可能で、例えば座布団を兼ねる該便座2用の蓋を用意し、また背もたれ6を適当な位置まで起こすことで、長時間有機ELの4K大型TV8を長時間鑑賞することが可能となる。
さらに、該上半身移動アシストタワー3を改造し、該つりさげ棒4を延ばして人の腰辺りまで届く長いタイプを作り、寝返り介助システムの構築も可能になっている。
【産業上の利用可能性】
【００１０】
本発明により、足が不自由になっても、腰の関節と腕の力でトイレの便座に座ることが可能となり、またその逆に便座からベッドへの移行が一人で可能になるか、又は介助者が足を持ち上げる等の最小のアシストにて可能となり、介助者がトイレまで連れて行く必要がなくなり、またおむつ交換やおまる等での汚物の二次処理が不要になり、介護の負担が大幅に削減される他、プライバシーの問題が解消され、誰でも介護が可能になる。
【符号の説明】
【００１１】
１  マットレス
２  便座
３  上半身移動アシストタワー
４  つかまり棒
５  つかまり紐
６  背もたれ
７  AIスピーカー兼監視カメラ
８  有機ELの4K大型TV
【図１】
2020099457.tif 000003
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
匂いのしない水洗トイレの便座を寝室のマットレスのすぐ隣に設置し、またマットレスの頭上側に上半身移動アシスト機構を設定し、該上半身移動アシスト機構のつりさげ棒、あるいはつりさげ紐につかまり、該上半身移動アシスト機構に指示を出すと、該上半身移動アシスト機構が作動して、該マットレスから該便座へ、該便座から該マットレスへの身体の移動が可能になり、移動のアシストを行うことができる寝室用水洗トイレ。